(57)【要約】【課題】  伝熱特性に優れ、容器本体内の温度を任意の所望の温度に調節できる加熱・冷却装置を提供すること。【解決手段】  容器本体に取付けられる加熱・冷却装置であって、該装置内に液状の媒体および該媒体の蒸気を減圧状態で維持する手段と、該液状の媒体を加熱する加熱手段および該媒体の蒸気を冷却する冷却手段からなる群から選択される少なくとも１つの手段とを備えている。好ましくは、冷却手段がこの装置の上部に設けられ、そして、この冷却手段の下部に凝縮液散布手段を配置して、冷却手段が媒体の蒸気を凝縮して凝縮液を生成し、この凝縮液が該装置の伝熱面に沿って流れるように構成されている。【選択図】  図１
2006017330.tif 000002
【特許請求の範囲】
【請求項１】
容器本体に取付けられる加熱・冷却装置であって、該装置内に液状の媒体および該媒体の蒸気を減圧状態で維持する手段と、該液状の媒体を加熱する加熱手段および該媒体の蒸気を冷却する冷却手段からなる群から選択される少なくとも１つの手段とを備えている、加熱・冷却装置。
【請求項２】
前記装置が、該装置の上部に冷却手段を備え、そして、該冷却手段の下部に凝縮液散布手段を備えており、該冷却手段が前記媒体の蒸気を凝縮して凝縮液を生成し、該凝縮液が該装置の伝熱面に沿って流れるように構成されている、請求項１に記載の加熱・冷却装置。
【請求項３】
前記加熱・冷却装置が、前記容器本体の外側面あるいは内側面に、または該容器本体の内側に備え付ける装置である、請求項１または２に記載の加熱・冷却装置。
【請求項４】
前記加熱冷却装置がジャケットである、請求項１から３のいずれかの項に記載の加熱・冷却装置。
【請求項５】
前記容器本体が熱交換器である、請求項１から３のいずれかの項に記載の加熱・冷却装置。
【発明の詳細な説明】
【技術分野】
【０００１】
本発明は、加熱・冷却装置に関する。
【背景技術】
【０００２】
ジャケットを備えた容器の加熱は、ジャケットに直接、蒸気（加圧蒸気、減圧蒸気など）、温水、熱媒などを導入する方法、あるいはジャケット自体を電磁誘導などで加熱するなどの方法が一般的に行われている。１００℃までの加熱には、ジャケットに導入した減圧蒸気または温水を循環させて使用する場合が多く、真空発生装置あるいは温水循環装置などの大掛かりな装置が必要となる。１００℃以上に加熱する場合、水蒸気を供給するか、熱媒などを循環させるか、または熱媒を封入したジャケットを電熱ヒータなどで直接加熱する方法が行われている。他方、冷却は、冷媒をジャケットに導入して行われるのが一般的である。
【０００３】
このようなジャケットを用いて、容器内の液を加熱あるいは冷却する場合、一般にジャケットには、容器内の液を所望の温度に保つために、その温度よりも高いあるいは低い温度の伝熱媒体（蒸気、熱媒、あるいは冷媒）を用いる。そのため、ジャケット内に導入した媒体のみで、容器内の液の温度を一定に保つことは、容易ではない。
【０００４】
容器内の温度を一定に保つために、種々の検討がなされている。例えば、特許文献１には、ジャケット内部にらせん状の仕切板を配設して、熱媒（冷媒）が容器本体の周囲を旋回しながら通過するように構成し、この仕切板の一端を容器本体の外周面に固定し、他端に、容器内の液が所定の温度になるとジャケットに当接するように形状記憶合金を固定したジャケット構造が記載されている。このジャケットは、容器内が所定の温度になると、形状記憶合金によりジャケットと容器本体との隙間が封止され、この隙間からの熱媒（冷媒）の供給が止められるので、容器内の温度がほぼ一定に調節できる。
【０００５】
ところで、このようなジャケットを備えた容器を用いて、高温あるいは低温での化学反応の終了後に冷却あるいは加熱する場合、ジャケット内の媒体を置換する必要がある。しかし、完全に置換するには時間を要し、不要な反応が進行するという問題がある。特許文献１に記載の装置も、加熱状態から急激には冷却しにくい。別の方法として、例えば、加熱状態の反応液を急激に冷却する必要がある場合、加熱した液を、冷却ジャケットを備えた容器に移動することも考えられるが、新たな設備（例えば、輸送用の設備と容器）が必要となり、コストがかかる。
【特許文献１】特開平５−１４１８８１号公報
【発明の開示】
【発明が解決しようとする課題】
【０００６】
本発明は、加熱・冷却装置内の温度の制御が容易であり、かつ、加熱から冷却、あるいは冷却から加熱への切り換えも容易な加熱・冷却装置を提供することを目的とする。
【課題を解決するための手段】
【０００７】
本発明は、容器本体に取付けられる加熱・冷却装置であって、該装置内に、液状の媒体および該媒体の蒸気を減圧状態で維持する手段と、該液状の媒体を加熱する加熱手段および該媒体の蒸気を冷却する冷却手段からなる群から選択される少なくとも１つの手段とを備えている加熱・冷却装置を提供する。
【０００８】
好ましい実施態様においては、本発明の装置は、上部に冷却手段を備え、そして、該冷却手段の下部に凝縮液散布手段を備えており、該冷却手段が前記媒体の蒸気を凝縮して凝縮液を生成し、該凝縮液が該装置の伝熱面に沿って流れるように構成されている。
【０００９】
好ましい実施態様においては、前記加熱・冷却装置が、前記容器本体の外側面あるいは内側面に、または該容器本体の内側に備え付ける装置である。
【００１０】
好ましい実施態様においては、前記加熱冷却装置がジャケットである。
【００１１】
また、別の実施態様においては、前記容器本体が熱交換器である。
【発明の効果】
【００１２】
本発明の加熱・冷却装置は、タンク、熱交換器等の種々の容器本体に取りつけられ、これらの熱交換装置として、広範囲に使用される。本発明の装置は、真空蒸気を用いて加熱を行うため、この装置を容器本体に取りつけたときの熱伝導が極めて良好である。また、冷却も凝縮伝熱を利用するため、熱伝導係数が高い。そのため、極めて高い加熱・冷却速度で容器本体に熱を移動させることができる。
【発明を実施するための最良の形態】
【００１３】
本発明の加熱・冷却装置は、ジャケット、コイル、チューブなどの形状で、タンク、熱交換器などの加熱・冷却装置として、広範囲に使用される。本発明の加熱・冷却装置が適用される熱交換器としては、多管式熱交換器、プレート式熱交換器、スパイラル熱交換器などが挙げられるがこれらに制限されない。以下、ジャケットおよび多管式熱交換器用の加熱・冷却装置として使用する場合について説明するが、コイル、プレート式熱交換器、スパイラル熱交換器などへの利用法は、後述する本発明の原理に基づいて、当業者が容易に理解できる。従って、本発明はこれらの具体例に限定されず、本発明の原理に基づくすべての装置が本発明に含まれる。
【００１４】
まず、一つの態様であるジャケットを例に、添付の図面を参照して説明する。図１は、本発明のジャケットの一実施態様の断面模式図である。本発明のジャケット１は、容器本体２の外周部に配置されている。ジャケット１に封入される媒体としては、沸点および蒸気圧が既知の液体であれば特に制限なく用いられる。例えば、水、ドデカンなどが例示されるが、これらに制限されず、加熱温度を考慮して決定すればよい。
【００１５】
このジャケット１の上部には、空気抜出口３が設けられ、この空気抜出口３からの空気抜出ライン４には、ジャケット１内の減圧状態を維持するための手段としてバルブ５が配置されている。ジャケット１内には、液状の媒体６（以下、単に液ということがある）が底部に、および該媒体の蒸気が気相部７として、減圧状態で封入・保持されている。
【００１６】
ジャケット１の下部には、液６を加熱するための加熱手段８が設けられている。加熱手段８に特に制限はなく、直接的に液６を加熱する手段（例えば、電気ヒータなど）あるいは間接的に液６を加熱する手段（例えば、熱交換器など）のいずれもが用いられる。図１においては、ジャケット１の底部にある加熱手段８で加熱している。加熱手段８は蒸気で加熱され、ジャケットの液６の温度は温度センサーで測定され、コントロール弁１０を開閉して蒸気の量を制御することにより、所定の温度になるように構成される。この循環手段の代わりに、ジャケット１内の液面下に蛇管（パイプ）を配置し、蛇管に熱媒を通して循環させることもできる（図示せず）。この場合、上記循環手段と同様に、温度センサーで液６の温度を測定して、蛇管内の熱媒の循環量を調整し、液６を所定の温度に加熱するように構成してもよい。
【００１７】
ジャケット１の気相部７の上部には、冷却手段１１が設けられている。冷却手段１１は、ジャケット１の気相部７のできるだけ上部に、好ましくは、容器本体２内の液面よりも高い位置に設けられる。この冷却手段１１は、例えば、パイプ、蛇管などで構成され、これらのパイプ、蛇管などに冷却水、冷媒などを循環させることにより、蒸気を凝縮させる。
【００１８】
この冷却手段１１の下部には、凝縮液散布手段１２を設けることが好ましい。熱効率を向上させる点で、好ましくは、凝縮液散布手段１２は、冷却手段１１によって気相部７から生じる凝縮液が、伝熱面１３に沿って流れるように取付ける。また、凝縮液が流下するところにコイル、網、針金などを螺旋状に、または水平に巻きつけておくと、伝熱面１３には凝縮液が均一に流れるので、好ましい。
【００１９】
以下、本発明の加熱・冷却装置であるジャケットの動作原理について、水を液状の媒体とし、媒体の蒸気である水蒸気を用いる場合を例に挙げて、説明する。
【００２０】
まず、ジャケット１に水６を満たし、加熱手段８により沸騰させて十分に水蒸気をバルブ５から系外に放出させ、バルブ５を閉める。この操作はジャケット１が真空を保っている場合は必要なく、空気などが混入した場合に、再度行えばよい。このとき、ジャケット１内には液（水）が残るようにする。このようにすると空気が追い出されるので、ジャケット１内の気相部７の圧力は、その加熱到達温度における水蒸気圧（真空度）となる。例えば、水６の温度が３０℃であれば、気相部７の圧力は３０℃における蒸気圧（約３９５Ｐａ）となる。この結果、ジャケット１内の水６の温度と気相部７の水蒸気の温度とは、等しくなる。従って、ジャケット１内の水６の温度を８０℃とすれば、気相部７も８０℃の水蒸気で満たされるようになる。ジャケット１内の熱が容器本体２の液に奪われると、ジャケット１内の気相部７の温度と真空度は下がるが、水を８０℃に維持する限り、８０℃の蒸気が供給されるので、ジャケット１内は８０℃に維持される。このジャケット１内の水６を８０℃に維持するために、図１では加熱手段８として熱交換器を用いる温度コントロールを行っている。
【００２１】
このように、本発明のジャケットを用いると、ジャケット１内を任意の所望の温度に制御することができ、それによって、容器本体２内の液体を、伝熱効率よく、任意の所望の温度に維持することができる。
【００２２】
次に、このジャケット１を冷却する場合について説明する。冷却手段１１として、例えば、ジャケット１の気相部７の上部に設けた蛇管１１を用いる場合、液（水）６の加熱中、蛇管１１内の液の循環は止めておく。むしろ、ジャケット内の蛇管１１中の冷却水は抜き出して、蛇管１１内を空にしておくことが好ましい。容器本体２内の液が所定の温度に上昇した場合、あるいは所定の温度での加熱が終了した場合、まず、ジャケット１内の液（水）６の加熱を止める。次に、蛇管１１に冷却水を循環させると、ジャケット１内の気相部７の水蒸気が蛇管１１と接触して凝縮し、凝縮液となって落下する。凝縮によって、ジャケット１内の蒸気圧が下がる（真空度が上昇する）ので、ジャケット１内の水６が蒸発し、潜熱によって水温が下がる。このとき、生じる凝縮液を集め、凝縮液散布手段１２で伝熱面１３を流下するように構成する。伝熱面１３を流下する凝縮液は伝熱面１３からの熱を吸収して再度蒸発する。そして、蛇管１１で再び凝縮して、伝熱面１３を流下する。蛇管１１では凝縮により熱が移動するので、潜熱での伝熱となる。ジャケット１に液体を入れて顕熱で熱を移動する顕熱での伝熱と比較すると、凝縮伝熱速度は顕熱での伝熱速度と比較して数倍大きい。そのため、同量の水を用いて冷却する場合、凝縮伝熱の方が数倍大きい速度での冷却、すなわち、急激な冷却が可能となる。そのため、さらにジャケット１内の温度が降下し、真空度が上昇する。真空度が上昇するとジャケット１内の水が蒸発するのでさらにジャケット１内の水温が低下する。このような連鎖的な変化が急激に起こる結果、ジャケット１内の圧力が急降下するので、液（水）は突沸状態となり、伝熱面１３に散布されるとともに、ジャケット１内の水自身の蒸発により水の潜熱を奪う。従って、ジャケット１内の温度が急激に低下し、これに伴って、容器本体２内の温度も急激に低下する。ジャケット内の温度の制御は、上記蛇管１１を循環する冷却水の温度または流量を調節することにより行われる。
【００２３】
容器本体内の液がジャケットの上部まで入っている場合、撹拌装置がない容器本体であっても、撹拌装置付きの容器本体であっても、加熱の場合は凝縮伝熱で、冷却の場合は凝縮伝熱および蒸発伝熱で伝熱されるため、伝熱効率はよい。
【００２４】
さらに、撹拌装置を用いることが好ましい。容器本体２内の液面が変化する場合、容器本体２の撹拌装置として、いわゆるウォールウェッター（登録商標）といわれる、遠心力を利用する液体散布装置を用いることが好ましい。この撹拌装置は、特開平６−３３５６２７号公報に記載されている。この装置を用いて容器本体２内の液を汲み上げ、容器本体２の上部内壁（伝熱面１３）に散布し、散布した液が内壁に沿って流れ落ちるように構成することで、さらに、伝熱効率および伝熱速度が向上する。すなわち、図１において、撹拌装置として、液体噴出装置９を用い、容器本体２内の液を汲み上げ、伝熱面１３に散布することにより、ジャケット１の伝熱面１３の全面が熱伝導に有効に利用される。加熱時には迅速に容器本体２内の液温が上昇し、冷却時においては、容器本体内の伝熱面１３に容器本体内の液を散布することにより、ジャケット１内の伝熱面１３では液６の蒸発が起こり、ジャケット１内の熱を奪い、さらにジャケット１内の温度が低下する。この伝熱は蒸発伝熱であり、極めて迅速に熱が伝達される。そのため、冷却効率が顕熱伝熱に比べて遥かに大きくなる。このように、容器本体２内の撹拌装置として、遠心力を利用する液体散布装置と本発明の加熱・冷却装置を用いることにより、いっそう加熱および冷却効率に優れた装置が提供される。
【００２５】
上記のように、本発明の第１実施態様のジャケットは、真空ポンプなどの真空発生装置を用いることなく、減圧蒸気で任意の温度に加熱または冷却することができる。
【００２６】
なお、ジャケット１内の媒体として水と水蒸気を用いる場合、使用する水に特に制限はないが、水道水、工業用水などのカルシウムなどの不純物を含む水を用いると加熱面への不純物の堆積により熱交換が悪くなる虞がある。そのため、蒸留水、精製水、純水、超純水などのイオン類を含まない水を用いることが好ましい。
【００２７】
図２は、本発明の別の実施態様のジャケット２１を示す断面模式図である。図２において、図１と同じ符号は、図１と同じ構造および機能を示す。図２は、水以外の溶媒を用いる場合、特に水蒸気よりも高温で加熱を行う場合に用いられるジャケットの例であり、上記と同じ原理で、加熱、冷却装置として用いられる。
【００２８】
図２のジャケット２１は、空気抜出のための真空ポンプ１４を備え、真空ポンプ１４と空気抜出口３との間にコンデンサー１５を備えている。また、ジャケット２１の下部には、液状の媒体６（液６）を直接加熱するための電熱ヒータ１６（加熱手段８）および液６の温度を所定の温度に調節するための温度センサー１７を備えている。その他の点は、図１に示す第１の実施態様と同様の構成である。
【００２９】
なお、真空ポンプ１４は、液６が加熱手段９により十分に蒸発し、空気を十分に排出できる場合には、必ずしも必要なく、図１の場合と同様に、バルブ５のみを備えてもよい。ただし、ドデカンのような有機物を使用する場合は、有機物が散逸しないように、バルブ５とコンデンサー１５とを備えることが好ましい。
【００３０】
図２のジャケット２１において、媒体としてドデカン（沸点２１４℃）を用い、２００℃以上に加熱し、次いで冷却する場合について説明する。
【００３１】
まず、ジャケット２１に液状の媒体であるドデカンを導入する。真空ポンプ１４でジャケット２１内を減圧にし、電熱ヒータ１６で加熱して、ドデカンを沸騰させて、バルブ５から空気を追い出す。蒸発したドデカンはコンデンサー１５で回収する。充分に空気が抜けたことを確認した後、バルブ５を閉め、ドデカンの液６およびその蒸気（気相部７）をジャケット２１内に封入する。その後は、上記と同様、液６を電熱ヒータ１６で所定の温度とすることにより、２００℃以上でも所定の温度に加熱することができる。
【００３２】
次いで、冷却は、上記図１の装置において説明したように、気相部７の上部に設けた冷却手段１１（例えば、蛇管）に冷媒（例えば、水道水）を導入することにより、急激な冷却が可能である。
【００３３】
図３は、本発明の別の実施態様を示す図であり、本発明の加熱・冷却装置を多管式熱交換器に取りつけて使用する場合の模式断面図である。図３において、図１と同じ符号は、図１と同じ構造および機能を示す。
【００３４】
図３に示す本発明の加熱・冷却装置３１は、多管式熱交換器３５に取付けられる。この多管式熱交換器３５に取付けられる装置３１は、下部で連通する複数の管３６で構成されている。各管３６の下部には液６が維持され、液６が加熱手段８で加熱されるように構成され、温度は温度センサー１７で制御される。そして、加熱・冷却装置３１の一つの管３６の上部には、空気抜出口３が設けられ、この空気抜出口３からの空気抜出ライン４には、加熱・冷却装置３１内を減圧状態を維持するための手段としてバルブ５が配置されている。そして、各管３６の上部には、冷却手段１１（例えば、蛇管１１）が設けられ、その下部には、凝縮液散布手段１２が設けられている。そして、蛇管１１には、冷却水入口３７から冷却水が導入され、冷却水出口３８から排出されるように構成されている。
【００３５】
この多管式熱交換装置３５においても、図１および図２において説明したと同様の操作で、加熱・冷却が行われる。まず、加熱・冷却装置３１内に液６を入れ、液６を加熱手段８で加熱して、液６の蒸気を発生させ、空気抜出口３から十分に空気を追い出した後、液６と液６の蒸気で満たされた気相部７が存在するように、バルブ５を閉めて、減圧状態を維持する。多管式熱交換器３５における熱交換は、多管式熱交換器３５の熱交液入口３３から入った液が、管３６と管３６との間（例えば、流路３２ａ、３２ｂなど）を流れ、加熱・冷却装置３１の伝熱面１３と接触することにより行われる。熱交換された液は、熱交液出口３４から出て行く。
【００３６】
加熱は、所定の温度に液６を加熱することにより行われる。このときの加熱は、真空蒸気による加熱であるので、上記の通り、熱伝導が極めて良好である。冷却も、上記と同様、冷却手段１１に冷媒を循環させることにより行われる。この冷却は、上記の通り蒸発での伝熱を利用するため、熱伝導係数が高い。そのため、極めて高い加熱・冷却速度で熱移動が行われるので、多管式熱交換器用の加熱・冷却装置として、有用である。
【００３７】
なお、図１および図２に示すジャケット、並びに図３に示す多管式熱交換器用の加熱・冷却装置は、加熱手段８および冷却手段１１の両方を備えているが、目的に応じて、いずれか一方のみを備えた構造としてもよい。
【実施例】
【００３８】
以下、本発明を実施例に基づいて説明するが、本発明が以下の実施例に制限されることはない。
【００３９】
（実施例１）
２Ｌの熱媒油（２５０℃では、燃焼および蒸発しない油）を入れた全量３Ｌのステンレス製フラスコ（容器本体２）の周囲に、図１に示す構成を有するジャケットを取りつけた。ジャケット１内に純水を入れ、加熱して水蒸気を追い出し、バルブ５を閉じた。ジャケット１内の水６を熱交換器８で蒸気を熱媒として熱交換を行い、５０分かけて１４０℃まで加熱した。その後、１４０℃で３０分間維持し、加熱を止めると共に、気相部７の上部に設けられた冷却手段１１（蛇管）への２５℃の水の循環を開始した。所定の時間後、冷却水の循環を止め、放置した。この間のジャケット１内の温度と、フラスコ中の熱媒油の温度とをモニターした。結果を図４に示す。図４のグラフにおいて、ジャケット（黒実線）はジャケット１内の温度を、内温（灰色実線）はフラスコ内の熱媒油の温度を示す。
【００４０】
図４に示すように、ジャケット１の加熱とほぼ同時に熱媒油の温度も上昇し、５０分後に１４０℃に達し、１４０℃で一定に維持（制御）されている。この結果は、封入した水蒸気での加熱が、従来の水蒸気を供給する加熱方式による加熱と同じ結果をもたらすことを示しており、熱交換の効率が非常に良いことを示している。さらに、従来の蒸気供給方式によるよりも極めて精密な温度調節が可能なことを示している。
【００４１】
１４０℃に到達してから３０分後（加熱開始から８０分後）に、２５℃の水による冷却を開始したところ、温度は急激に低下し、わずか１０分でほぼ６０℃まで低下し、そして、循環液量を制御することにより、６０℃に制御することができた。
【００４２】
このように、本発明のジャケットを用いると、極めて熱効率が高く、かつジャケット内および容器本体内の温度を、任意の温度に、急速にかつ正確に制御（維持）することができる。従って、真空蒸気発生装置など大掛かり装置を要することなく、伝熱効率に優れた装置が提供される。
【００４３】
（実施例２）
２Ｌの熱媒油を入れた全量３Ｌのステンレス製フラスコ（容器本体２）の周囲に、図２に示す構成を有するジャケット２１を取りつけた。まず、ドデカンをジャケット２１に入れて、真空ポンプで減圧にして、電熱ヒータ１６で加熱した。コンデンサー１５でドデカンを凝縮、回収し、十分空気が抜けたことを確認してから、バルブ５を閉じた。念のために、真空ゲージを取り付けておいた。電熱ヒータ１６でドデカンを加熱し、９０分後に加熱を止めて、同時に冷却手段（蛇管）１１に水道水を２９０Ｌ／時間の流量で流し、冷却を行った。結果を図５に示す。図５のグラフにおいて、ジャケット（黒実線）はジャケット２１内の温度を、内温（灰色実線）はフラスコ２内の熱媒油の温度を示す。図５に示すように、容器本体２内の熱媒油の温度は、電熱ヒータの熱容量（熱供給量）に比例して、上昇した。また、冷却を開始すると、実施例１と同様、容器本体２内の熱媒油の温度が、急激に低下する（１２０℃までわずか数分で低下する）こともわかった。このことは、ドデカンで１２０℃以上の任意の温度に容易に急速に制御できることを示している。
【産業上の利用可能性】
【００４４】
本発明の加熱・冷却装置は簡単な原理に基づいており、極めて優れた熱効率を有し、かつ任意の所望の温度に調節できるので、種々の熱伝達装置として、温度管理が必要な場合には特に好ましく用いられる。また、急激な冷却が可能であるので、冷却速度が要求される場合などに、特に有用である。本発明の加熱・冷却装置は、ジャケット、コイル、および多管式熱交換器、プレート式熱交換器、スパイラル熱交換器などの熱交換器用の加熱・冷却装置として、広範囲に使用される。
【図面の簡単な説明】
【００４５】
【図１】本発明のジャケットの一実施態様の断面模式図である。
【図２】本発明の別の態様のジャケットの断面模式図である。
【図３】本発明の加熱・冷却装置を多管式熱交換器に使用する場合の断面模式図である。
【図４】ジャケット内の媒体を水として、ジャケットを加熱・冷却したときのジャケット内および容器本体内の温度変化を示すグラフである。
【図５】ジャケット内の媒体を水として、ジャケットを加熱・冷却したときのジャケット内および容器本体内の温度変化を示すグラフである。
【符号の説明】
【００４６】
１、２１  ジャケット
２    容器本体
３    空気抜出口
４    空気抜出ライン
５    バルブ
６    液状の媒体（液）
７    気相部
８    加熱手段
９    液体噴出装置
１０  コントロール弁
１１  冷却手段
１２  凝縮液散布手段
１３  伝熱面
１４  真空ポンプ
１５  コンデンサー
１６  電熱ヒータ
１７  温度センサー
３１  多管式熱交換器用の加熱・冷却装置
３２ａ、３２ｂ  流路
３３  熱交液入口
３４  熱交液出口
３５  多管式熱交換器
３６  管
３７  冷却水入口
３８  冷却水出口
【図１】
2006017330.tif 000003
【図２】
2006017330.tif 000004
【図３】
2006017330.tif 000005
【図４】
2006017330.tif 000006
【図５】
2006017330.tif 000007